(57)【要約】【課題】近年問題とされている紫外線による人体への悪影響、そして様々な塗装面の劣化、これらを解決できる商品（ワックスなど）は今現在存在せず、本発明ではこの問題に重点を置くものとする。そして数多くの資源と紫外線から保護し、限られた資源、限られた資産の有効な利用方法と考える。【解決手段】本発明の課題である（アルコキシシラン）の特性を生かし、より強固なコーティング被膜を形成し、対象物の目的に合わせて多目的変化系、コーティング樹脂を考え、適切な目的に合わせて尚確実な技術指導の下に施工を行うことと考える。又、正しい知識の中でこれからの世界の環境保全を考えると、様々な分野で活躍できる発明と言える。【選択図】    なし【特許請求の範囲】
【請求項１】
自動車、自動二輪、船舶、航空機に使用されるすべての塗装被膜を紫外線指数１００〜４００ｎｍから保護するワックス。
【請求項２】
自動車、自動二輪、船舶、航空機に使用されているすべての塗装を有機合成化合物質による酸化、劣化などから保護するワックス。
【請求項３】
オルガノシロキサン混合液を含む２−プロパノール溶液を母液とし、すべての物質を請求項１〜２に付随するものすべてに有効に働き、又、母液に様々な試薬を添加することにより、混合液の特性を変えることが可能である。
【請求項４】
この多目的ワックスは加工方法として、オルガノシロキサンはアルコキシシラン４０％を主成分とし、２−プロパノールを３０％と社外秘の添加物質を加えることにより、請求項１〜３すべての特性を備えたものであり、他に類を見ないものである。
【発明の詳細な説明】
【０００１】
【発明の属する技術分野】
本発明は、オルガノシロキサン混合物を含む２−プロパノール溶液を多目的ワックスとすることによって、発癌性分の元となる紫外線指数１００〜２５０ｎｍを９５％削減し、人体における発癌率も押さえ、また塗装表面の酸化率も削減できる。そして部類を見ない耐久性を伴うため少ない資源で多くの資産を保護できると考える。
【０００２】
【従来の技術】
従来のコーティング剤に比べ、本発明は幕厚事態が厚く、より強固である。（製品安全データシート参考）。又、混合液の大きな特徴として紫外線のほとんどを削減もしくは遮断することが可能である。そして今までには類を見ない耐久性に優れ、一度の塗布にて長期間の効果を得ることが可能であるため、従来のコーティングの常識を変えるものである。さらに素材となる母液に様々な素材を加えることにより、特性を変えることが可能なことも、この商品の大きな特徴と言える。
【特許文献１】特開２０００−２３９６５６号公報
【特許文献２】特開平０９−２２０５２４号公報
【０００３】
【発明が解決しようとする課題】
近年問題とされている紫外線による人体への悪影響、そして様々な塗装表面の劣化、これらを解決できる商品（ワックスなど）は今現在存在せず、本発明ではこの問題に重点を置くものとする。そして数多くの資源を紫外線から保護し、限られた資源、限られた資産の有効な利用方法と考える。
【０００４】
今までに存在するワックス、ポリマー、モノマーこれらすべてがそれぞれの特徴を生かしているが、本発明のような特徴を満たせるものは存在しない。又、日本の環境状態に適合し、ワックスの本来の特徴をノーメンテナンスで長期間維持できないものがほとんどである。当社の比較データによると、ユーザーの無知から誤った情報を信じ、又販売業者側もあいまいなデータを元に販売しているものが大半であることは否めない状況である。
【０００５】
又、悪質な販売業者（ほとんどが商社である）では、人体に悪影響を伴う薬品もしくは溶剤などを安易に販売し、施工する側、使用する者への配慮を怠ってでも営利を目的とする者が多く、そして商品に至っても全く有り得ない誇大広告によって、ユーザーの納得いかない物を高額にて販売しているものが実情である。
【０００６】
自動車メーカーでも近年車両販売に陰りが見え、販売業者の巧みな嘘に踊らされ、実際に公告の通りに効果を示さない物などが多く、そしてユーザーが望む（愛社のコンディションを守り、保護する。）という事をよく理解しないまま販売しているのが事実である。
【０００７】
本発明は、これまでのコーティングではなし得なかったコーティング本来の特性、またユーザーの期待、（光沢、發水性、防汚）にとどまらず、対紫外線に優れ、塗装の劣化を根本的に見直し、実現したワックス（コーティング剤）である。又、塗布を重ねて行う事により、被膜圧も増し、それに伴い耐久性も延長できる。
【０００８】
又、本発明はオルガノシロキサンの母液となるアルコキシシランの特性などから、用途にあったコーティング被膜を形成する事が可能である。よって、地域性や使用条件に合わせて用途に適合（要望に応える）するコーティング被膜を作ることが可能である。
【０００９】
【課題を解決するための手段】
本発明の課題である（アルコキシシラン）の特性を生かし、より強固なコーティング被膜を形成し、対象物の目的に合わせて多目的変化系コーティング樹脂を考え、適切な目的に合わせて尚確実な技術指導の下に施工を行うことと考える。又、正しい知識の中でこれからの世界の環境保全を考えると、様々な分野で活躍できる発明と言える。
【００１０】
我々は本発明を利用し、手始めに現状においての（紫外線による塗装被膜の劣化）と言う問題に取り組み、各メーカーの様々な分野にて課題を解決していく見込みである。用途として、自動車、飛行機、船舶、などのメーカー推奨データーを元として考えていく。
【００１１】
そしていずれは、本発明を利用する事により、多目的に幅広い分野で活躍することであろう。例えば人体に悪影響を及ぼす１００〜４００ｎｍ紫外線を遮断することによって、快適な生活空間を作り出すことも可能である。
【００１２】
又、次なる課題としてコーティング樹脂の対象波長を７００〜１６００ｎｍに設定することにより赤外線を用いる器材、器具などの透視を遮断することも可能である。この発明を良心として使用されれば、ストーカーなどからのプライバシーの保護などにも使用できる物として考えられる。
【００１３】
このような作用として煩わしい防犯対策やプライバシーの保護なども、簡単に安価にて行えると考えられる。
【００１４】
そして、すべてのガラス素材に対応することにより、
【００１５】の用途以外にも、様々な用途が考えられる。その一つとして目を護るサングラスなども無色透明にすることができ、日向からトンネルなどの暗闇などの急な対応にも困ることがなく、そして第一に安全である。このような発想から（自動車ガラス、航空機のガラス）などに最適と考えられる。
【００１６】
【実施例】
試験成績
１  商品名    オルガノシロキサン混合物を含む２−プロパノール溶液を使用した多目的ワックス
２  塗装使用素材    ボンテ鋼板  膜圧８〜１０μ  乾燥条件２０℃・６０％RH
【表１】
2004189950.tif 000002
【００１７】
被膜厚テストデータ
１：フローにて重ね塗りした結果から、手塗りにて施工した実施例が下期の票が示したとおりです。尚、フロー重ね塗りに対しては３０分のインターバルを挟んでフロー施工を行った結果です。
２：指触乾燥は約３０分とし、完全乾燥硬化時間を７日目と設定しました。
３：膜圧測定は比重計及び膜厚によって測定した物です。
４：ただし、試験日の湿度が安定しないため、多少の誤差が生じたと考えられる。
５：技術データ  （膜厚及び希釈倍率による鉛筆硬度測定データ）
（試験条件）
・基板            グラスファイバー（ゲルコート）
・使用溶剤        オルガノシロキサン混合物を含む２−プロパノール溶液
・塗布方法        フロー    ：    手塗り
【表２】
2004189950.tif 000003